(57)【特許請求の範囲】
【請求項１】
紙製の外袋と、該外袋の中に取り出し可能に収納されている、プラスチックフィルム製の内袋と、該内袋の中に充填されている内容物と、該外袋の表面に取り付けられている、該内容物を表示したラベルとを有する、内容物が充填されて密封されている袋であって、前記内容物表示ラベルは前記外袋から取り外しが可能であってかつ取り外された内容物表示ラベルは前記内袋の表面に貼付可能となっていることを特徴とする内容物が充填されて密封されている袋。
【請求項２】
請求項１に記載の袋の上部を裁断し、内容物が充填されている内袋を取り出し、外袋から剥した内容物表示ラベルを前記取り出した内袋の表面に貼付することを特徴とする袋の内容物表示方法。
【請求項３】
請求項１に記載の袋の上部を、細長い溝を備えた押し切り台に外周に裁断刃を有する円板刃がその裁断刃の一部を該細長い溝に遊挿されて固定されているカッターにより裁断し、内容物が充填されている内袋を取り出し、外袋から剥した内容物表示ラベルを前記取り出した内袋の表面に貼付することを特徴とする袋の開封方法。
【発明の詳細な説明】
【０００１】
【発明の属する技術分野】
本発明は、袋、袋の内容物表示方法および袋の開封方法に関し、詳しくは内容物が充填された内袋を外袋から取り出して使用する際に内容物を間違いなく表示するための袋およびその袋の内容物表示方法、並びに内容物が充填された内袋入り外袋を開封する際に発生する紙粉の混入を防ぐことができる袋の開封方法に関する。
【０００２】
【従来の技術】
近年、半導体の部品に使用する樹脂は、純度の高いものが求められており、異物の混入を防ぐことが重要な課題となっている。
【０００３】
このため、半導体メーカーでは、半導体製造用のクリーンルームに運び入れる前に、フッ素樹脂等の樹脂が充填されたプラスチック製の内袋を紙製の外袋から取り出して、内容物が充填された内袋だけをクリーンルームに運び込む方法を採用している。
【０００４】
【発明が解決しようとする課題】
しかし、従来、内容物の表示は、外袋にだけなされており、内袋には何等表示がなされていないため、外袋と内袋を切り離した後は、内袋に充填された内容物のロット番号などが分からなくなるという事態が生じることがあった。
【０００５】
これを防ぐために、内袋の表面にマジックインクなどでロット番号などを書き写すことが考えられるが、作業効率が悪く、書き誤りも発生するおそれもある。
【０００６】
一方、密封されている袋の上部を裁断して、内袋を取り出す際に、外袋の裁断により発生する紙粉が内袋に入り、樹脂純度が悪くなるという問題もあった。
【０００７】
本発明は、内容物が充填された内袋を外袋から取り出して使用する際に内容物を間違いなく表示するための袋および内袋の内容物表示方法を提供することを目的とする。また、本発明は、内容物が充填された内袋入り外袋を開封する際に発生する紙粉の混入を防ぐことができる袋の開封方法を提供することを目的とする。
【０００８】
【課題を解決するための手段】
本発明者らは、上記課題を解決するために、鋭意検討を重ねた結果、外袋の表面に内容物表示ラベルを取り外し可能に取り付け、密封されている袋の上部を裁断し、内容物が充填された内袋を取り出し、外袋の表面に取り付けられていた内容物表示ラベルを剥して内袋の表面に貼付することにより、上記課題を解決できることを見い出し、さらに、密封されている袋の上部の裁断を、細長い溝を備えた押し切り台に外周に裁断刃を有する円板刃がその裁断刃の一部を該細長い溝に遊挿されて固定されているカッターにより行うことにより、上記課題を解決できることを見い出し、本発明を完成するに至った。
【０００９】
すなわち、本発明は、紙製の外袋と、該外袋の中に取り出し可能に収納されている、プラスチックフィルム製の内袋と、該内袋の中に充填されている内容物と、該外袋の表面に取り付けられている、該内容物を表示したラベルとを有する、内容物が充填されて密封されている袋であって、前記内容物表示ラベルは前記外袋から取り外しが可能であってかつ取り外された内容物表示ラベルは前記内袋の表面に貼付可能となっていることを特徴とする内容物が充填されて密封されている袋を提供するものである。
【００１０】
また、本発明は、上記の袋の上部を裁断し、内容物が充填されている内袋を取り出し、外袋から剥した内容物表示ラベルを前記取り出した内袋の表面に貼付することを特徴とする袋の内容物表示方法を提供するものである。
【００１１】
さらに、本発明は、上記の袋の上部を、細長い溝を備えた押し切り台に外周に裁断刃を有する円板刃がその裁断刃の一部を該細長い溝に遊挿されて固定されているカッターにより裁断し、内容物が充填されている内袋を取り出し、外袋から剥した内容物表示ラベルを前記取り出した内袋の表面に貼付することを特徴とする袋の開封方法を提供するものである。
【００１２】
【発明の実施の形態】
本発明の袋は、紙製の外袋の中にプラスチックフィルム製の内袋が取り出し可能に収納されている。
【００１３】
内袋の材質は、プラスチックフィルムであれば、どのようなものでもよいが、好ましくは、ポリエチレンフィルム、ポリプロピレンフィルムなどのポリオレフィンフィルムである。また、このプラスチックフィルムは、単層ものでもよいし、多層に積層されたものでもよい。
【００１４】
外袋の材質は、紙であるが、破損しにくい丈夫な紙であることが好ましい。好適な紙としては、クラフト紙、さらしクラフト紙、クルパック紙などの単層、複層あるいはそれらの組合せが挙げられる。
【００１５】
内袋の外袋への収納は、一般に内袋に内容物を充填する前に行われているが、内袋に内容物を充填した後に行われていてもよい。
【００１６】
本発明の袋の外袋の表面には、内容物表示ラベルが取り外し可能に取り付けられている。
【００１７】
内容物表示ラベルは、内容物の性状を表示するためのラベルであり、このラベルに表示する内容物情報としては、例えば内容物の製品名、グレード名、ロット番号、数量などが挙げられる。
【００１８】
内容物表示ラベルは、内容物情報を表示するための表面を有するラベルであればよく、例えば、基材シートとその基材の片面に設けられた粘着剤層から成るラベルが挙げられる。
【００１９】
内容物表示ラベルの基材は、紙製でもよいし、プラスチックフィルム製でもよいが、紙製である場合は、紙粉の発生を抑えるためにポリエチレンフィルムなどのプラスチックフィルムで表面をラミネートすることが好ましい。また、基材のプラスチックフィルムは、種々のプラスチックフィルムが使用可能であるが、好ましくは、ポリエチレンフィルム、ポリプロピレンフィルムなどのポリオレフィンフィルムである。また、このプラスチックフィルムは、単層ものでもよいし、多層に積層されたものでもよい。
【００２０】
外袋の表面に取り付けられる内容物表示ラベルは、取り外し可能に取り付けられておれば、どのような取り付け方でもよいが、好適な取り付け方法としては、例えば、外袋の表面に剥離紙を接着剤などにより固着し、その剥離紙の表面に粘着剤層付き内容物表示ラベルを貼付する方法が挙げられる。剥離紙は、紙の表面を剥離剤により剥離処理されているものであり、内容物表示ラベルを外袋の表面に固着された剥離紙から取り外しやすくすることができる。なお、剥離紙はプラスチックフィルムによって代替されることができ、プラスチックフィルムを使用する場合は、内容物表示ラベルを取り外しやすくするために、内容物表示ラベルの粘着剤層との粘着力の弱い材質にすることが好ましい。このようなプラスチックフィルムとしては、例えば、ポリエチレンフィルム、ポリプロピレンフィルムが挙げられる。
【００２１】
剥離紙および内容物表示ラベルの外袋の表面への取り付けは、外袋の表面へ剥離紙および内容物表示ラベルを順次取り付けてもよいし、予め剥離紙および内容物表示ラベルを貼り合わせたものを外袋の表面へ取り付けてもよい。
【００２２】
図１には、本発明の袋の具体例が示されている。外袋２の中には、内袋１が収納されており、外袋２の表面には、周辺フィルム７とその周辺フィルム７の内側には内容物表示ラベル３が固定されている。内容物表示ラベル３の表面には、製品名、グレード名、ロット番号、数量が記載されている。内袋１の中には、図示されていないが、内容物として粒状のプラスチック樹脂が充填されており、外袋の上下端部は、綴じテープ５の上からミシン糸により密封されている。
【００２３】
図７には、予め剥離紙および内容物表示ラベルを貼り合わせたものの好適な例が、その平面図および断面図により示されている。なお、断面図は、平面図のａ−ｂ間で切断したときの断面図であり、分かりやすくするために、厚み方向に拡大してある。
【００２４】
内容物表示ラベル３は、周辺フィルム７により囲まれており、内容物表示ラベル３と周辺フィルム７の裏側には粘着剤が塗布されており、その粘着剤層１０の表面に剥離紙４が貼着されている。内容物表示ラベル３と周辺フィルム７は、内容物表示ラベルよりも大きい一枚のフィルム基材に切込を入れて製造することができる。なお、内容物表示ラベル３と周辺フィルム７は、完全に切り離されていると、内容物表示ラベル３は剥離紙４から容易に剥離するが、剥離紙付き内容物表示ラベル製造時などに発生する内容物表示ラベル３の脱落を防ぐために、内容物表示ラベル３と周辺フィルム７は一部で連結させることが好ましい。この連結部の長さは、内容物表示ラベル３の剥離紙４からの剥離時に剥離しやすいように適宜選定すればよい。
【００２５】
一方、剥離紙４は、周辺フィルム７よりも一回り大きい大きさであり、内容物表示ラベル３よりも一回り大きい形状に切り込みが入れられており、内側剥離紙８および外側剥離紙９で構成されている。なお、内側剥離紙８と外側剥離紙９は、完全に切り離されていると、外側剥離紙９は周辺フィルム７から容易に剥離するが、剥離紙付き内容物表示ラベル製造時などに発生する内側剥離紙８または外側剥離紙９の脱落を防ぐために、内側剥離紙８と外側剥離紙９は一部で連結させることが好ましい。この連結部の長さは、外側剥離紙９の周辺フィルム７からの剥離時に剥離しやすいように適宜選定すればよい。
【００２６】
この剥離紙および内容物表示ラベルを貼り合わせたものの好適な例の使用方法は、次に示す通りである。
【００２７】
先ず、外側剥離紙９を周辺フィルム７から剥離し、内側剥離紙８に内容物表示ラベル３が貼着されており、さらに内側剥離紙８の外周部に周辺フィルム７の内周部が貼着した状態にする。次に、この状態で、周辺フィルム７の裏面に塗布されている粘着剤により外袋に貼着する。これにより、内側剥離紙８は、周辺フィルム７の内周部により押えつけられて、外袋に固定される。その結果、外袋の表面に内容物表示ラベル３が取り外し可能に取り付けられることになる。
【００２８】
内容物表示ラベル３を外袋から剥離する場合は、内容物表示ラベル３を内側剥離紙８から剥離すると、周辺フィルム７と内側剥離紙８は外袋に貼着、固定されているので、内容物表示ラベル３のみを外袋から剥離することができる。剥離した内容物表示ラベル３は、その裏面に粘着剤が塗布されているので、その粘着剤層１０により、内袋に貼着することができる。
【００２９】
次に、本発明の袋の内容物表示方法を説明する。
本発明の袋の内容物表示方法においては、第一工程として紙製の外袋の中に内容物を充填したプラスチックフィルム製の内袋が取り出し可能に収納され、密封されている袋の上部を裁断する。
【００３０】
切断する箇所は、袋の上部であればよく、内袋に充填された内容物がこぼれないような位置であればよい。図２には、裁断刃が固定されているカッター６で裁断線上を裁断する様子が示されている。図２中のカッター６は、図３および図４に示されたカッターを簡略化して表示したものである。また、図２においては、分かりやすくするために、カッターの側面図を表示し、カッターの側面と袋の垂直面が平行面になる状態でそのカッターを裁断線２０上にスライドさせるように示されているが、実際には、カッターの側面と袋の外面が略垂直になるようにしてそのカッターを裁断線２０上にスライドさせる。
【００３１】
この袋の上部の裁断は、種々の裁断方法により行うことが可能であるが、本発明の袋の開封方法により裁断することが好ましい。
【００３２】
本発明の袋の内容物表示方法においては、第二工程として裁断された袋の上部から内容物が充填された内袋を取り出す。
続いて、本発明の袋の内容物表示方法においては、第三工程としてその外袋の表面に取り付けられていた内容物表示ラベルを剥す。
さらに、本発明の袋の内容物表示方法においては、第四工程として剥した内容物表示ラベルを内袋の表面に貼付する。
【００３３】
このように、内容物表示ラベルを外袋の表面から内袋の表面に貼り替えることにより、簡単に、しかも確実に内袋に充填されている内容物の情報を内袋に表示でき、また内袋を外袋から切り離して別の場所に運んでも、内袋に充填されている内容物の情報を間違えないで認識できる。
【００３４】
本発明の袋の内容物表示方法は、特に半導体に使用される樹脂を内容物とする場合に有効である。
【００３５】
次に、本発明の袋の開封方法を説明する。
本発明の袋の開封方法において使用するカッターは、細長い溝を備えた押し切り台に外周に裁断刃を有する円板刃がその裁断刃の一部を該細長い溝に遊挿されて固定されているカッターである。
【００３６】
図３には、カッターの一具体例の側面図が示されており、図４には、その底面図が示されている。
【００３７】
図３では、押し切り台１２の中央部にスリット状の細長い溝１３が貫通して形成されており、全外周に裁断刃を有する円板刃１１はその裁断刃の一部を該細長い溝１３に遊挿されており、止め具１６で固定されている。なお、細長い溝１３は、押し切り台１２を貫通して設けられているが、貫通させないで形成されていてもよい。
【００３８】
円板刃１１は、その外側を円板刃カバー１７で覆われており、安全性が確保されている。また、このカッターの前部には、裁断する袋の裁断部を導入し易いように導入アーム１８が設けられている。なお、細長い溝１３の先端部分は、図４に示すように溝の幅が大きくなっており、万一袋の裁断時に切断紙粉が発生した場合にも、その紙粉がその幅広の溝から出やすいようになっており、内袋にその紙粉の混入を防ぐことができる。
【００３９】
図５には、円板刃の具体例の側面図およびその側面図のＡ−Ｂ間で切断した場合の断面図が記載されている。また、図６には、その円板刃の先端にある裁断刃の拡大断面図が記載されている。
【００４０】
図５では、円板刃１１の全外周には、裁断刃１９が設けられており、その中央部には固定用の穴が設けられている。円板刃１１は、タングステン鋼で作られていることが好ましく、その先端部の裁断刃１９は、放射状に研磨されていることが好ましい。裁断刃１９の刃先の角度Ｄは、１５〜２５度が好ましく、特に１７〜１９度が好ましい。
【００４１】
このカッターの好適な市販品としては、例えば、オルファ  マルカッター４５Ｃ型（オルファ株式会社製）が挙げられる。
【００４２】
袋の裁断は、紙製の外袋の中に内容物を充填したプラスチックフィルム製の内袋が取り出し可能に収納され、密封されている袋の上部を、細長い溝を備えた押し切り台に外周に裁断刃を有する円板刃がその裁断刃の一部を該細長い溝に遊挿されて固定されているカッターにより裁断することにより行われる。具体的には、グリップ１４を持って、袋の裁断線に沿ってカッターを押し進め、円板刃１１の刃先と押し切り台１２が接近する場所辺りで袋を裁断することにより行われる。円板刃１１は、その刃先の切断刃の切れ味が悪くなったら、円板刃１１の固定を解除し、円板刃１１を少し回転させて固定し、新しい切断刃で袋の裁断をできるようにすればよい。
【００４３】
【発明の効果】
本発明の袋は、内容物が充填された内袋を外袋から取り出して使用する際に内容物を間違いなく表示することができる。また、本発明の袋の開封方法は、内容物が充填された内袋入り外袋を開封する際に発生する紙粉の混入を防ぐことができる。
【図面の簡単な説明】
【図１】本発明の袋の一実施例を示した概略図である。
【図２】本発明の袋の開封方法を示した概略図である。
【図３】本発明の袋の開封方法において使用するカッターの具体例を示した側面図である。
【図４】本発明の袋の開封方法において使用するカッターの具体例を示した底面図である。
【図５】図３のカッターの円板刃の側面図および断面図である。
【図６】図５の円板刃の刃先の拡大断面図である。
【図７】剥離紙付き内容物表示ラベルの平面図および断面図である。
【符号の説明】
１：内袋
２：外袋
３：内容物表示ラベル
４：剥離紙
５：綴じテープ
６：カッター
７：周辺フィルム
８：内側剥離紙
９：外側剥離紙
１０：粘着剤層
１１：円板刃
１２：押し切り台
１３：細長い溝
１４：グリップ
１５：抜き部
１６：止め具
１７：円板刃カバー
１８：導入アーム
１９：裁断刃
２０：裁断線
Ｄ：裁断刃の角度
【図１】
0003812030.tif 000002
【図２】
0003812030.tif 000003
【図３】
0003812030.tif 000004
【図４】
0003812030.tif 000005
【図５】
0003812030.tif 000006
【図６】
0003812030.tif 000007
【図７】
0003812030.tif 000008